(57)【特許請求の範囲】
【請求項１】
被掃除面に対面する開口部を有する下ケースと、該下ケースの上方に配置された上ケースと、前記上ケース及び前記下ケースで覆われた回転清掃体と、該回転清掃体を着脱自在に保持する軸受押さえ部材と、前記下ケースに回動可能に設けられ回動することにより前記軸受押さえ部材を前記下ケースに保持させる係止部材とを備えた吸口体において、
前記係止部材は、前記軸受押さえ部材と係合する方向へ付勢される付勢手段を備えており、
前記係止部材は、前記軸受押さえ部材を前記下ケースへ押し込むと吸口体の外側に向かって回動し、前記軸受押さえ部材が前記下ケースに装着されると、前記付勢手段の付勢力により前記軸受押さえ部材と係合する方向に回動し、
前記係止部材を、前記軸受押さえ部材の係合を解除した位置で係止する手段を備え、
前記係止部材は、前記係止する手段と係止する案内部を有し、
前記係止部材と前記軸受け押さえ部材とを係合ないし離脱させる場合に、前記案内部は、前記係止する手段を前記係止部材が回動する軸方向に乗り越えるように設けられていることを特徴とする電気掃除機の吸口体。
【請求項２】
集塵部及び電動送風機を収容する掃除機本体と、該掃除機本体に接続されたホースと、該ホースに接続された手元操作部と、該手元操作部に接続された延長管と、該延長管に接続された吸口体とを有する電気掃除機において、
該吸口体は、請求項１に記載の吸口体であることを特徴とする電気掃除機。
【発明の詳細な説明】
【技術分野】
【０００１】
本発明は、電気掃除機に用いられる吸口体及びこれを用いた電気掃除機に関するものである。
【背景技術】
【０００２】
従来の吸口体は、刷毛やブレードなどの清掃部材を設けた回転清掃体によって被掃除面からごみや塵埃を掻き出して吸引している。
【０００３】
回転清掃体の清掃部材は、糸くずなどの繊維状のものや、髪の毛等が絡み付き易く、一旦絡み付くと、この種のごみは清掃部材を固定する筒状基体に回転により徐々に蓄積されるようになる。
【０００４】
これを除去するために、はさみやカッターを用いて、絡み付いたごみを切断して取り除いていた。
【０００５】
この場合、回転清掃体を吸口体から取り外す構造として、例えば特許文献１（特開２０００−８３８７４号公報）のようなものが提案されている。特許文献１では、上下ケースの本体と上ケースの上部を覆うカバーとを備え、カバーの縁部にカバー側係止部が設けられ、スライドして被係止部を前記カバー側係止部に対して係合・離脱させるスライド係止部材が吸口本体ケースに設けられている。
【０００６】
また、特許文献２（特開２００４−１６６０５号公報）には、吸口体の下面側に軸受押さえ部材を吸口本体に着脱可能に保持させるためのロック部材を備えた吸口体が提案されている。
【０００７】
【特許文献１】特開２０００−８３８７４号公報
【特許文献２】特開２００４−１６６０５号公報
【発明の開示】
【発明が解決しようとする課題】
【０００８】
上記従来のスライド方式によるカバーの着脱では、スライド係止部材がケースと摺動す
る際に、ケースの隙間部から入り込んだ細かい砂や塵埃によって、係合・離脱させる時に
重たくなったり、硬くなったりして、動きが渋くなるという問題が生じていた。それによ
り、指が痛くなる等負担があった。
【０００９】
また、カバーの着脱時、スライド係止部材を移動させることになるが、係止部材の位置がどちらに移動させると係合・離脱するのか分かりにくい場合があり、カバーの着脱時にスライド係止部材を何度も操作したりすることがある。
【００１０】
さらに、カバーと係止部材との着脱操作は、離脱時にはスライド係止部材を摺動させ、カバーを外し、係合時は、カバーを吸口体に装着し、スライド係止部材を操作する必要があり、片手で吸口体を支え、もう片方の手だけで操作することは困難であり、なかなか面倒で億劫になりがちな作業であった。
【００１１】
また、係合操作が使用者に依存するため、確実に行われずにカバーが吸口体と完全に係合していない状態で使用してしまう可能性がある。
【００１２】
本発明の目的は、これらの問題を解決し、回転清掃体の取り付け・取り外しを簡単に行うことができる電気掃除機の吸口体及びこれを備えた電気掃除機を提供することにある。
【課題を解決するための手段】
【００１３】
上記目的を達成するために本発明の特徴とするところは、被掃除面に対面する開口部を有する下ケースと、該下ケースの上方に配置された上ケースと、前記上ケース及び前記下ケースで覆われた回転清掃体と、該回転清掃体を着脱自在に保持する軸受押さえ部材と、前記下ケースに回動可能に設けられ回動することにより前記軸受押さえ部材を前記下ケースに保持させる係止部材とを備えた吸口体において、前記係止部材は、前記軸受押さえ部材と係合する方向へ付勢される付勢手段を備えており、前記係止部材は、前記軸受押さえ部材を前記下ケースへ押し込むと吸口体の外側に向かって回動し、前記軸受押さえ部材が前記下ケースに装着されると、前記付勢手段の付勢力により前記軸受押さえ部材と係合する方向に回動し、前記係止部材を、前記軸受押さえ部材の係合を解除した位置で係止する手段を備え、前記係止部材は、前記係止する手段と係止する案内部を有し、前記係止部材と前記軸受け押さえ部材とを係合ないし離脱させる場合に、前記案内部は、前記係止する手段を前記係止部材が回動する軸方向に乗り越えるように設けられていることにある。
【発明の効果】
【００１４】
本発明によれば、係止部材が付勢手段により付勢されているので、軸受押さえ部材の着脱が簡単に行え、回転清掃体の取り付け・取り外しを簡単に行うことができる。
【発明を実施するための最良の形態】
【００１５】
以下、本発明の一実施例を図１から図９の図面に従い詳細に説明する。
【００１６】
図２は本発明の一実施例に係る電気掃除機の全体外観図である。２０１は集塵部及び電動送風機を収容する掃除機本体、２０２は一端が掃除機本体２０１に接続され、他端がホース継手３０５に回動可能に接続されたホースである。２０３は一端がホース３０２の他端に回動可能に接続され、掃除機の運転の入切を行うスイッチ手段２０４を有する手元操作部、２０５は一端が手元操作部３０３の他端に接続された伸縮可能な延長管、２０６は延長管３０５の他端に接続され掃除面の塵埃を吸込む吸口体である。掃除機は掃除機本体２０１に収容された電動送風機で発生した吸引力により、延長管２０５，ホース２０２を介して吸口体２０６の下面から吸込んだ被清掃面の塵埃を集塵部内に搬送するようにしている。
【００１７】
図１に本発明の一実施例に係る吸口体の分解斜視図を示す。図１において、１０１は下面に開口部を有する下ケース、１００は下ケースの上方に配置された上ケースである。下ケース１０１に上ケース１００を被着させることにより、吸口本体１５０を構成している。１０４は上ケース１００及び下ケース１０１で覆われた回転清掃体、１０５は回転清掃体１０４を駆動するための電動機、１０７は吸口体を持ち上げたときに自動的に回転停止するための安全スイッチ、１０８は電動機側プーリー、１０９は減速プーリーを構成する大プーリー、１１０は減速プーリーを構成する小プーリー、１１１は大プーリー１０９と小プーリー１１０を連結するシャフトである。本実施例ではシャフト１１１に設けた大プーリー１０９及び小プーリー１１０により、回転清掃体１０４の回転軸端部に伝達する伝達機構を構成している。
【００１８】
１２０は下ケース１０１の下面側に位置する軸受押さえ部材（図示せず）を開閉するための係止部材であり、上ケース１００と下ケース１０１から張り出した支持部を回動軸とし、組み付けにより上下方向で支持し、係止部材１２０の抜け外れを規制し、係止部材１２０は、一端を上ケース１００の回動軸バネ支持部（図示せず）、他端を係止部材１２０のバネ支持部（図示せず）に固定されたバネ１３０（付勢手段）によって軸受押さえ部材部材を閉じる方向へ付勢されている。
【００１９】
１０２は吸口本体内部と外部（掃除機本体）とを連通する空気通路が形成された自在継手のうち吸口本体に対して上下方向に回動可能な第１の接続管、１０３は自在継手のうち前記第１の接続管に対して左右方向に回動可能な第２の接続管である。
【００２０】
図１において、回転清掃体１０４の回転軸に沿う方向を吸口体の左右方向と呼び、この左右方向は通常吸口体の長手方向と一致する。また、吸口体の上下方向に関しては、吸口体を水平な床面上に置いた状態で、開口１１８が形成された側を下面側、反対側を上面側と呼ぶ。また、吸口の進行方向側を正面側、後退方向側を背面側として説明する。
【００２１】
図２に本発明の一実施例に係る電気掃除機の外観図を示す。２０１は後部に吸口本体が集塵するのに必要な吸気風を発生させる電動送風機（図示せず）を内蔵し、前部には塵埃を集塵する集塵室（図示せず）を内蔵した電気掃除機本体、２０２は電気掃除機本体２０１に接続され、柔軟に可動するように形成されたホース、２０３は前記ホース２０２に接続されて前記電気掃除機本体２０１や吸口体２０６を制御する手元スイッチ２０４を内蔵し、ホース２０２と延長管２０５と連通する流路（図示せず）を持つハンドルグリップである。また、ホース２０２とハンドルグリップ２０３及び延長管２０５には、吸口体２０６に電気を供給する給電線（図示せず）が内蔵されている。
【００２２】
図３に本発明の一実施例に係る吸口本体を下から見たときの平面（下面図）を示す。１１８は下ケース１０１に設けられた床面開口部で、被清掃面に面する。３０１はバンパー、３００は固定刷毛、３０３は後方車輪である。１０７は吸口体を持ち上げたときに自動的に停止するための安全スイッチであり、１０７ａは被清掃面に設置されているかを検出するための床面検出車輪である。
【００２３】
３１５は軸受ユニット部で、軸受を内蔵し、その外周に電動機１０５からの駆動力を伝達するプーリー３１６を配置し、プーリー３１６を挟んで両側に軸受部を配設し、吸口体内に軸支している。３１７はプーリー３１６と一体で回転し、電動機の回転力を伝達する主動軸継手部である。
【００２４】
回転清掃体１０４の一端側には、主動軸継手部３１７と係合する従動軸継手部３１８を有し、他端側に吸口体の軸支部に嵌脱自在に支持される軸受部３１９を有している。主動軸継手部３１７と従動軸継手部３１８には、最外周に凹凸の歯３１７ａと３１８ａを形成し、両者を噛み合わせることで係合している。３０５は軸受ユニット部３１５を覆うユニット押さえ部材である。
【００２５】
回転清掃体１０４の清掃部材３０７，３０８は、繊維等による刷毛の他、軟質のブレード状のものを用いて構成することができ、刷毛やブレードをそれぞれ単独で、或いは刷毛とブレードとを混在させて構成することができる。また、筒状基体３０６を形成する部材で一体に成形した突出部で清掃部材を構成してもよい。いずれにしても、清掃部材は筒状基体３０６の外周面から外方に突出するように構成される。
【００２６】
３０４は軸受押さえ部材であり、１２０は軸受押さえ部材３０４を吸口本体の下ケース１０１に着脱（開閉）可能に保持させる係止部材であり、吸口本体１５０の背面側に設置している。軸受押さえ部材３０４は回転清掃体１０４を着脱自在に保持している。
【００２７】
図４は本発明の一実施例に係る係止部材１２０の装着状態を示す斜視図であり、図４（ａ）吸口体２０６を後方から見た斜視図、図４（ｂ）は吸口体２０６を上方から見た斜視図である。
【００２８】
係止部材１２０は、上ケース１００と下ケース１０１から張り出した支持部１００ａと１０１ａを回動軸とし、軸中心から一端側を開閉時の操作部１２０ａ、反対側を係止部１２０ｂとし、組み付けにより上下方向で支持し、係止部材１２０の抜け外れを規制している。また、係止部材１２０は、一端を上ケース１００の回動軸バネ支持部１００ｂ、他端を係止部材１２０のバネ支持部１２０ｄに固定されたバネ１３０によって、操作部１２０ａが吸口体中央側に回転するように付勢されている。この係止部材１２０の回動により、軸受押さえ部材３０４と吸口体２０６との開閉（着脱）が可能となる。
【００２９】
軸受押さえ部材３０４の内側側面には、係止部材１２０の係止部１２０ｂが出没できるスリット上の穴３０４ａを有し、先端には下ケース１０１と結合するための凹部（図示せず）を設けている。
【００３０】
図５は本発明の一実施例に係る係止部材の部分拡大平面図であり、図５（ａ）は係止部材１２０を外側に向かって回動させた状態を示す図、図５（ｂ）は係止部材１２０を閉じた状態を示す図である。図５（ａ）において、係止部材１２０の操作部１２０ａを吸口体中央側から外側に回動した時に軸受押さえ部材３０４と係合している係止部１２０ｂが外れ、吸口体２０６から軸受押さえ部材３０４が離脱する図５（ｂ）において、係止部材１２０の操作部１２０ａを外側から吸口体中央側に回動し、係止部１２０ｂが軸受押さえ部材３０４と係合し、軸受押さえ部材３０４が下ケース１０１に装着され、操作部１２０ａが吸口本体１５０の外表面と同一か内側に収まるようにしている。
【００３１】
次に本実施例の動作を説明する。掃除機使用者がハンドルグリップ２０３に設置されたスイッチ操作部２０４を操作すると、操作されたスイッチに従った動作モードで電気掃除機本体２０１内の電動送風機が運転する。電動送風機によって発生した吸引力は、ホース２０２，延長管２０５を通って吸口体２０６に到達する。それと同時に、ホース２０２および延長管２０５に設けられた電源線から供給された電源が、回路基板１０６を介して電動機１０５を駆動する。
【００３２】
電動機１０５とプーリー，ベルトで連結している回転清掃体１０４が回転することにより、回転清掃体１０４の清掃部材である刷毛やブレードによって被掃除面からごみや塵埃を掻き出して吸い込んでいる。
【００３３】
回転清掃体１０４の清掃部材３０７は、糸くずなどの繊維状のものや、髪の毛等が絡み付き易く、一旦絡み付くとこの種の塵埃は回転により徐々に蓄積され、清掃部材を固定する筒状基体に締め付けられようになる。
【００３４】
図６から図９に従い、前記回転清掃体１０４の清掃部材３０７に絡んだ糸くずなどの繊維状のものや、髪の毛等を取り除く回転清掃体１０４のお手入れ方法について説明する。
【００３５】
図６は本発明の一実施例に係る吸口体の部分下面斜視図であり、図７は本発明の一実施例に係る吸口体の部分下面斜視図であり、図８は本発明の一実施例に係る吸口体の部分下面斜視図であり、図９は本発明の一実施例に係る吸口体の下面斜視図である。
【００３６】
まず、使用者がスイッチ操作部２０４により、電源を遮断し、延長管から吸口体２０６を外す。次に図６に示すように、吸口体の下面側を上面側に向ける。係止部材１２０の操作部１２０ａに操作者の指を添え、吸口体中央側から外側に回動し、軸受押さえ部材３０４と係止部１２０ｂの係合を解除する。そして、図７に示すように下ケース１０１から軸受押さえ部材３０４を開け、図８のように軸受押さえ部材３０４を外す。次に、図９のように、回転清掃体１０４の軸受部３１９側の清掃部材を摘み、上方に引き上げると、軸受部３０９が吸口体の軸支部から嵌脱され、次いで回転清掃体１０４を斜め上方に引き上げることにより、従動軸継手部３１８が主動軸継手部３１７との係合から解除され、回転清掃体１０４が吸口体２０６から離脱できる。離脱した回転清掃体１０４に、はさみやカッターを用い、絡み付いた塵埃の除去作業を行う。この時、回転清掃体１０４は水洗いも可能である。
【００３７】
作業後は、上記の逆で、回転清掃体１０４を吸口体２０６に組み込むには、回転清掃体１０４の従動軸継手部３１８の歯を吸口体内部の主動軸継手部３１７の歯に挿入し、両者を噛み合わせることで係合させ、回転清掃体１０４の反対側の軸受部３０９を吸口体の軸支部に上方から押し込む。次に、軸受押さえ部材３０４の爪３０４ａを下ケース１０１に引っ掛け、軸受押さえ部材３０４を取り付け、外側にはみ出している係止部材１２０の操作部１２０ａを吸口体中央側に回動し、軸受押さえ部材３０４と係止部１２０ｂとを係合させればよい。
【００３８】
以上の構成により、回動係止部材１２０は上ケースと下ケースから張り出した支持部を回動軸としているので、係止部材１２０の摺動部は回動軸周りと小さい面積となる。したがって、ケースの隙間部から入り込んだ細かい砂や塵埃が摺動部に堆積しても、軸中心から離れた操作部を動作することにより容易に回動することができる。つまり、梃子の原理のように、指の力で係止部材１２０の操作が容易に行える。少々の塵埃の堆積では係合・離脱させる時に動きが渋くなることはないので塵埃の詰りに有利である。
【００３９】
また、係止部材１２０の操作部１２０ａを吸口体中央側から外側に回動した時に軸受押さえ部材３０４が開く構造なので、操作部１２０ａが吸口体から外側に突出（はみ出し）している時は開いており、操作部１２０ａが吸口体内に収まっている時は閉じていると判断できる。さらに、バネ１３０により係止部材１２０は操作部１２０ａが吸口体中央側へ回転する方向へ付勢されているので、操作感からも開閉操作の方向が明確である。したがって、軸受押さえ部材の開閉状態が明確になり、誤って開状態で吸口を動作させることがない。
【００４０】
また、係止部材１２０を吸口本体の背面側に設置したことにより、デザインの変更もなく、吸口体の大型化を回避することが可能である。操作部１２０ａは吸口体ケースの外表面と同一か内側に収まるように構成しているので、家具の隙間などに挿入した際に、係止部材が接触して傷を付けたり、邪魔になることがない。
【００４１】
また、係止部材１２０がバネ１３０より係止部材１２０の操作部１２０ａが吸口体中央側に回転するように付勢されていることで、接触等により操作部１２０ａに係合が解除される方向へ何らかの力が加わっても、使用者が意図せずに軸受押さえ部材３０４との係合が解除されることがなく、より確実な係合を提供できる。
【００４２】
さらに、回転清掃体１０４の取り外し操作には、コインなどの道具が不要なので、塵埃の清掃作業も容易に行うことができる。
【００４３】
また、係止部材が軸受押さえ部材の係合を解除した位置で係止することで、吸口体から軸受押さえ部材の着脱が容易に行え、さらに、軸受押さえ部材と係止部材が連動することにより、係止部材を操作することなく簡単に軸受押さえ部材の吸口体への装着ができる。
【００４４】
さらに、前記付勢手段にバネを用いることにより、組立が簡単であり、作業性の向上を図れる。
【００４５】
図１０に本発明の一実施例に係る下ケース１０１の前方下部の部分拡大斜視図を示す。３０４は軸受押さえ部材であり、軸受押さえ部材３０４の先端側部分に凹部３０４ａを形成し、下ケース１０１に軸支され、回転可能に保持されている。
【００４６】
実施例１と同様に、回転清掃体１０４の清掃作業を行う際に、係止部材１２０を吸口体中央側から外側に回動し、軸受押さえ部材４０２との係合を解除する。次に、吸口体下ケース１０１から軸受押さえ部材３０４を開けるが、軸受押さえ部材３０４の一部が吸口体に支持されて、外れないようにしているので、紛失や散逸を妨げることができる。
【００４７】
図１１に本発明の一実施例に係る下ケース１０１の係止部材１２０側の部分拡大斜視図を示す。係止部材１２０には、操作部１２０ａ，軸受押さえ部材３０４を開閉するための係止部１２０ｂと開閉動作時にクリック感を出すと同時に、係止部材１２０が軸受押さえ部材３０４との係合を解除した状態で係止するための案内部１２０ｃが形成されている。下ケース１０１には前記案内部１２０ｃが回動した時に接触可能になるようにリブ１０１ｂを設けている。
【００４８】
図１１（ａ）は、軸受押さえ部材３０４と吸口体２０６が係合している状態であり、係止部材１２０の操作部１２０ａは吸口体に収められている。この時、バネ１３０より受ける力で回動方向の動きを規制している。軸受押さえ部材３０４を開けようと、操作部１２０ａを吸口体中央側から図１１（ｂ）のように、外側に回動すると案内部１２０ｃがリブ５０２に接触し抵抗となり、さらに回動を続けるとリブ１０１ｂを乗り越え、クリックを感じ、軸受押さえ部材３０４と係合している係止部１２０ｂが外れ、下ケース１０１から軸受押さえ部材３０４が離脱できる状態になったことが実感できる。さらに、このリブ５０２と案内部１２０ｃとの接触抵抗により、操作部１２０ａがバネからの付勢によって吸口体中央側に回転することを避け、開状態に留めることが出来、前記軸受押さえ部材３０４を片手で容易に吸口体２０６から取り外すことが可能である。
【００４９】
前記軸受押さえ部材３０４を係合する場合は図１１（ｂ）の状態から前記軸受押さえ部材３０４を前記下ケース１０１へ装着し、前記係止部材１２０の操作部１２０ａを吸口体中央側に回転すると、前記案内部１２０ｃがリブ１０１ｂに接触し抵抗となるが、回動を続けるとリブ１０１ｂを乗り越える。この時に、操作の抵抗感から開放されるクリック感が指に伝わり、操作が開始したことが実感でき、リブ１０１ｂと案内部１２０ｃとの接触抵抗から開放されることより、バネからの付勢により前記係止部材１２０は図１１（ａ）の状態となり、前記軸受押さえ部材３０４と前記係止部材１２０は確実かつ簡単に係合する。
【００５０】
また、軸受押さえ部材３０４を前記下ケース１０１へ装着するときに前記係止部材１２０が図１１（ａ）の状態であっても、前記軸受押さえ部材３０４を前記下ケース１０１へと押し込むと、前記軸受押さえ部材３０４の斜面３０４ｂと前記係止部材１２０の係止部１２０ｂが接触し、前記係止部材１２０が摺動することで、操作部１２０ａが吸口体中央側から外側へ回動し、前記軸受押さえ部材３０４を前記下ケース１０１へと押し込むことが可能である。
【００５１】
また、前記軸受押さえ部材３０４が前記下ケース１０１に完全に装着されると、前記係止部材１２０はバネ１３０からの付勢により、操作部１２０ａが吸口体中央側へ回動するので、前記係止部材１２０を操作することなく前記軸受押さえ部材３０４は前記吸口体２０６と簡単に係合することが可能である。
【００５２】
このように、係止部材１２０の回動時に、クリック感を持たせたことにより、軸受押さえ部材３０４と吸口体２０６が係合・離脱する状態を指の感触と音で認識できるので、簡単操作で確実な作業が提供できる。
【００５３】
さらに、バネ１３０を用いて前記係止部材１２０に付勢することにより、前記係止部材１２０と前記軸受押さえ部材３０４の係合をより確実にすると共に、係合動作をより簡単に、片手で操作することが可能であるため、なかなか面倒で億劫になりがちな塵埃の清掃作業も容易に行うことができる。
【００５４】
図１２に本発明の一実施例に係る主動軸継手部３１７と係合する従動軸継手部３１８の斜視図を示し、図１３に各々の断面図を示す。３１５は軸受ユニット部で、電動機１０５からの駆動力を伝達するプーリー３１６を配置し、プーリー３１６を挟んで両側に軸受３２３と３２２を内蔵した軸受部３２０と３１９を配設している。３１７はプーリー３１６と軸３２１を介して一体で回転し、電動機の回転力を伝達する主動軸継手部である。主動軸継手部３１７の外周には、回転力を回転清掃体１０４に伝達するための係合歯３１７ａを形成している。
【００５５】
回転清掃体１０４の一端側には、主動軸継手部３１７と係合する従動軸継手部３１８を有し、最外周に係合歯３１８ａを形成し、両者を噛み合わせることで係合している。主動軸継手部３１７の内周には回転清掃体１０４の円筒筒体が挿入され、外周部には段差を設けて係合歯３１８ａを形成している。
【００５６】
係合歯３１８ａを回転清掃体１０４の外周より外側に設けることにより、係合歯３１７ａ，３１８ａの軸方向長さが短くても、係合歯３１８ａの歯の噛み合わせ高さを確保することができ、軸方向の清掃部材の長さを有効に使うことができる。
【００５７】
回転清掃体１０４の主動軸継手部３１７と従動軸継手部３１８の係合部において、両継手部は軸方向および周方向の間隙を介して対向することになるが、継手部の最外周部で係合しているので、同じ間隙が中心部付近にある場合よりも、軸芯のずれを小さくすることができる。
【００５８】
図１４に主動軸継手部３１７の係合歯３１７ａと従動軸継手部３１８の係合歯３１８ａの噛み合わせ状態を示す。係合歯３１７ａと係合歯３１８ａの噛み合う壁面の延長線の交点３３０を主動軸継手部３１７の中心軸よりも外周側に移動したことにより、主動軸継手部３１７の係合歯３１７ａ壁面が係合歯３１８ａ壁面を押す力は、接線方向の力Ｆ１と軸方向の力Ｆ２に分解する。軸方向の力Ｆ２により、従動軸継手部３１８の係合歯３１８ａには外側へ押出される力が働く。このように全ての噛み合わせ箇所でこの力が働くので、お互いが打ち消し合って、主動軸継手部３１７と従動軸継手部３１８の回転が同軸となったところで安定する。
【００５９】
これにより、回転清掃体１０４の回転時の振れによる騒音の発生が抑えられる。
【００６０】
さらに、係合部が外周部で噛み合うため、目視確認し易いので、着脱が容易にできるとともに係合部に付着した塵埃も見つけやすく、清掃もし易くなる。
【００６１】
図１５に本発明の一実施例に係る軸受ユニット３１５のプーリー部３１６の斜視図を示す。３１６ａはプーリー３１６を挟んで両側に配設している軸受３２３と３２２を冷却するための放射状リブである。
【００６２】
図１３に示すように、軸受３２３と３２２の高速回転によって発生する熱は、軸３２１を伝わって、軸受部３１９の端面が外部空気に触れることによって放熱し、冷却が行われている。本実施例では冷却効果を高めるために、プーリー部３１６に放射状のリブ３１６ａを設け、軸受部３１９との間で、空気を拡散させ、外部空気へ熱を逃がしている。
【００６３】
したがって、外部空気との循環が効率良くなるので、軸受の温度上昇が起こらず、軸受の寿命劣化を防止できる。
【００６４】
本発明の各実施例は床移動型の掃除機だけでなく、アップライト式やスティック式の掃除機にも適用できる。モータ駆動方式の吸口だけでなく、エアー駆動方式にも適用できる。
【図面の簡単な説明】
【００６５】
【図１】本発明の一実施例に係る吸口体の分解斜視図である。
【図２】本発明の一実施例に係る電気掃除機の外観図である。
【図３】本発明の一実施例に係る吸口体の下面図である。
【図４】本発明の一実施例に係る係止部材の装着状態を示す斜視図である。
【図５】本発明の一実施例に係る係止部材の部分拡大平面図である。
【図６】本発明の一実施例に係る吸口体の部分下面斜視図である。
【図７】本発明の一実施例に係る吸口体の部分下面斜視図である。
【図８】本発明の一実施例に係る吸口体の部分下面斜視図である。
【図９】本発明の一実施例に係る吸口体の下面斜視図である。
【図１０】本発明の一実施例に係る下ケース１０１の前方下部の部分拡大斜視図である。
【図１１】本発明の一実施例に係る下ケースの部分拡大斜視図である。
【図１２】本発明の一実施例に係る軸継手部の斜視図である。
【図１３】本発明の一実施例に係る軸受部の断面図である。
【図１４】本発明の一実施例に係る軸継手部の部分拡大図である。
【図１５】本発明の一実施例に係るプーリー部の斜視図である。
【符号の説明】
【００６６】
１００  上ケース
１００ｂ  回動軸バネ支持部
１０１  下ケース
１０４  回転清掃体
１２０  係止部材
１２０ａ  操作部
１２０ｂ  係止部
１２０ｃ  案内部
１２０ｄ  バネ支持部
１３０  バネ
２０６  吸口体
３０４  軸受押さえ部材
【図１】
0004861919.tif 000002
【図２】
0004861919.tif 000003
【図３】
0004861919.tif 000004
【図４】
0004861919.tif 000005
【図５】
0004861919.tif 000006
【図６】
0004861919.tif 000007
【図７】
0004861919.tif 000008
【図８】
0004861919.tif 000009
【図９】
0004861919.tif 000010
【図１０】
0004861919.tif 000011
【図１１】
0004861919.tif 000012
【図１２】
0004861919.tif 000013
【図１３】
0004861919.tif 000014
【図１４】
0004861919.tif 000015
【図１５】
0004861919.tif 000016